(57)【要約】      （修正有）【課題】プリント回路板が、その厚さが許容公差を受けるにも拘らず、遊び無しにて保持される。【解決手段】スイッチモジュールは、その上を少なくとも１つの操作ボタン又は操作ロッカーが可動に案内されるスイッチハウジング１０を有する。スイッチモジュールは、スイッチハウジング１０内に配置され、その上にスイッチング接点を有する導体路が形成されたプリント回路板１２と、導体路の上に休止するスイッチングマット１４と、操作ボタン又は操作ロッカーのストロークをスイッチングマット１４に伝達する作動要素とを更に備えている。スイッチングマット１４はプリント回路板１２の外端縁の回りに形態嵌めにて係合する。【選択図】図１
2007258173.tif 000002
【特許請求の範囲】
【請求項１】
その上を少なくとも１つの操作ボタン又は操作ロッカーが可動に案内されるスイッチハウジング（１０）と、
スイッチハウジング（１０）内に配置され、スイッチング接点を有する導体路を備えるプリント回路板（１２）と、
導体路上に休止するスイッチングマット（１４）と、
操作ボタン又は操作ロッカーのストロークをスイッチングマット（１４）に伝達する作動要素とを備える、スイッチモジュールにおいて、
スイッチングマット（１４）は、プリント回路板（１２）の外端縁の回りに形態嵌めにて係合することを特徴とする、スイッチモジュール。
【請求項２】
請求項１に記載のスイッチモジュールにおいて、プリント回路板（１２）を有するスイッチングマット（１４）は、スイッチハウジング（１０）における支持体と、スイッチハウジング（１０）と接続された保持フレーム（１８）又は基部分（２０）との間にて締め止めされることを特徴とする、スイッチモジュール。
【請求項３】
請求項２に記載のスイッチモジュールにおいて、スイッチハウジング（１０）における支持体は、成形した支持リブ（１０ｂ）と、支持リブ（１０ｂ）とプリント回路板（１２）との間にて減少した厚さを有するスイッチングマット（１４）とにより形成されることを特徴とする、スイッチモジュール。
【請求項４】
請求項２又は３に記載のスイッチモジュールにおいて、保持フレーム（１８）又は基部分（２０）は、戻り止め接続部によってスイッチハウジング（１０）に締結されることを特徴とする、スイッチモジュール。
【請求項５】
請求項１ないし４の何れか１つの項に記載のスイッチモジュールにおいて、スイッチングマット（１４）の外周は、スイッチハウジング（１０）の内面に対して面一に位置することを特徴とする、スイッチモジュール。
【請求項６】
請求項２ないし５の何れか１つの項に記載のスイッチモジュールにおいて、保持フレーム（１８）又は基部分（２０）は、スイッチングマット（１４）の外端縁に対向する位置に支持リブ（１８ｂ）を有することを特徴とする、スイッチモジュール。
【請求項７】
請求項２ないし６の何れか１つの項に記載のスイッチモジュールにおいて、保持フレーム（１８）は、一体化したプラグ室を有する基部分（２０）を取り囲み、基部分（２０）は、戻り止め接続部によって保持フレーム（１８）と接続され、接点要素を有する更なるプリント回路板（２２）が保持フレーム（１８）と基部分（２０）との間にて締め止めされることを特徴とする、スイッチモジュール。
【請求項８】
請求項２ないし６の何れか１つの項に記載のスイッチモジュールにおいて、基部分（２０）は、スイッチハウジング（１０）の相応する戻り止め要素（１０ａ）及び保持フレーム（１８）の相応する戻り止め要素の双方と適合する構造とされることを特徴とする、スイッチモジュール。
【発明の詳細な説明】
【技術分野】
【０００１】
本発明は、その上を少なくとも１つの操作ボタン又は操作ロッカーが可動に案内されるスイッチハウジングと、該スイッチハウジング内に配置されて、スイッチング接点を有する導体路を備えるプリント回路板と、導体路上に休止するスイッチングマットと、ボタン又はロッカーのストロークをスイッチングマットに伝達する作動要素とを備えるスイッチモジュールに関する。
【背景技術】
【０００２】
プリント回路板は、その長さ及び幅の点にて極めて高精度に製造することができる。
【発明の開示】
【発明が解決しようとする課題】
【０００３】
しかし、その厚さは、＋／−０．１ｍｍ以上の顕著な許容公差を受ける。他方、プリント回路板は、スイッチングマットに面するその側部にてスイッチハウジングに画成された支持体を有し、一定の作動ストロークを保証する必要がある。プリント回路板は、スイッチングマットに対向する位置にあるその面にて保持フレーム又は同様のものによって支持されている。保持フレームがねじ締結によってスイッチハウジングと接続され、プリント回路板がその厚さが許容公差を受けるにも拘らず、遊び無しにて保持される。スイッチモジュールのこの従来の構造において、簡単な戻り止め接続部を使用することはできない。
【課題を解決するための手段】
【０００４】
本発明に従い、当初に記載した型式のスイッチモジュールにおいて、スイッチングマットはプリント回路板の外端縁を形態嵌め(form fit)にて抱持する。このため、スイッチングマットは、２つの補助的な機能を有する。一方にて、その弾性的性質を通じて、該スイッチングマットは許容公差の補償を可能にする。他方、スイッチングマットの外周はシールとして作用する。このとき、プリント回路板は、スイッチハウジングにおける支持体と、保持フレームとの間に締め止めすることができ、保持フレームは、単純な戻り止め接続部によってスイッチハウジングと接続することができる。スイッチングマットは、スイッチハウジングの支持体とプリント回路板との間のその領域内に僅か１０分の数ｍｍの極めて減少した厚さを有し、このためプリント回路板はスイッチハウジングに対して画成された位置に位置する。
【０００５】
本発明の更なる特徴及び有利な効果は、添付図面に関する好ましい実施の形態の以下の説明から明らかになるであろう。
【発明を実施するための最良の形態】
【０００６】
図面に示したスイッチモジュールは、車のシールド内に取り付けられる多重スイッチである。スイッチモジュールは、プラスチックで出来たほぼ平行６面体の形状のスイッチハウジング１０を有する。ボタンの案内部（図示せず）は、スイッチハウジング１０に形成されている。ボタンに面するその面に導体路及びスイッチング接点が設けられたプリント回路板１２は、スイッチハウジング１０に挿入される。スイッチングマット１４は、導体路及びスイッチング接点上に休止する。スイッチングマット１４はエラストマー材料で出来ている。スイッチングマットには、関係した接点対の上に位置するその表面に接点ピルを有する形成されたスッチングドーム１６が設けられている。スイッチングドーム１６は、プランジャ又は同様のもののような操作要素（図示せず）により関係したボタン又は操作ロッカーと接続されている。プリント回路板１２は、スイッチハウジング１０における支持体と、ディテント接続部（戻り止め接続部）によってスイッチハウジング１０と接続された保持フレーム１８との間にてスイッチングマット１４により締め止めされている。
【０００７】
図１ａからより明確に理解し得るように、スイッチングマット１４は、プリント回路板１２の外端縁を形態嵌め(form fit)によってその外周に抱持する。スイッチングマット１４の外周は、スイッチハウジング１０の内面に対して面一に位置している。保持フレーム１８は、スイッチハウジング１０の壁のディテント窓部（戻り止め窓部）１０ａ内に係合するディテント先端部（戻り止め先端部）１８ａを有している。更に、支持リブ１８ｂがディテント先端部（戻り止め先端部）１８ａに形成され、該支持リブ１８ｂにてスイッチングマット１４の端縁１４ａが休止し、該スイッチングマットは、プリント回路板１２を抱持する。図２ａから、スイッチハウジング１０におけるスイッチングマット及びプリント回路板の支持体は、スイッチハウジング１０に形成された支持リブ１０ｂによって形成されることが理解できる。スイッチングマット１４の厚さは、プリント回路板１２と支持リブ１０ｂとの間のその領域内にて著しく減少する。この厚さは、１０分の数ｍｍにしか過ぎない。これにより、スイッチハウジング１０に対してプリント回路板１２の良好に画成された支持位置は保証される。
【０００８】
保持フレーム１８は、ディテント接続部（戻り止め接続部）によって保持フレーム１８と接続された一体化したプラグ室により基部分２０を取り囲む。更なるプリント回路板２２が保持フレーム１８と基部分２０との間に締め止めされている。プリント回路板２２には、接続プラグ（図示せず）に対する接点要素が設けられている。
【０００９】
プリント回路板１２は、スイッチハウジング１０に対して良好に画成された軸受位置を有するが、その厚さは許容公差を受け、それは、プリント回路板はスイッチングマット１４と保持フレーム１８の支持リブ１８ｂとの間にて弾性的に締め止めされ、プリント回路板１２と支持リブ１８ｂとの間のスイッチングマット１４の周縁領域１４ａは弾性的に圧縮されるからである。このようにして、プリント回路板１２の厚さに対して許容公差の補償が為されるのみならず、プリント回路板１２はスイッチハウジング１０に対して密封される。許容公差の補償のため、保持フレーム１８とスイッチハウジング１０との戻り止め接続は容易に可能である。
【００１０】
スイッチモジュールの簡略化した実施の形態において、第二のプリント回路板２２は廃止され、保持フレーム１８に代えて、基部分２０はスイッチハウジング１０と直接接続されている。基部分２０における戻り止め先端部は、スイッチハウジング１０の戻り止め窓部及び保持フレーム１８の戻り止め窓部と合わさるように形成されている。
【図面の簡単な説明】
【００１１】
【図１】スイッチモジュールの軸方向断面図である。
【図１ａ】図１の拡大部分「Ａ」の図である。
【図２】図１に対して９０°回転させた平面におけるスイッチモジュールの軸方向断面図である。
【図２ａ】図２の部分「Ａ」の拡大図である。
【符号の説明】
【００１２】
１０    スイッチハウジング
１０ａ    ディテント（戻り止め）窓部
１０ｂ    支持リブ
１２    プリント回路板
１４    スイッチングマット
１４ａ    スイッチングマットの端縁、周縁領域
１８    保持フレーム
１８ａ    ディテント（戻り止め）先端部
１８ｂ    支持リブ
２０    基部分
２２    第二のプリント回路板
【図１】
2007258173.tif 000003
【図１ａ】
2007258173.tif 000004
【図２】
2007258173.tif 000005
【図２ａ】
2007258173.tif 000006
【外国語明細書】
2007258173000001.pdf